(57)【要約】  【課題】投光機を搭載した台車にアウトリガーを設けてなる投光機の転倒防止機構であって、砂地や泥地のような軟質地盤に投光機の台車を設置する場合、強風や地震等の状況下であっても投光機が転倒しないようにした投光機の転倒防止機構を提供する。  【解決手段】投光機２を搭載した台車３の片側の両側部に固設された支持部材２０に打込棒１８が垂直方向に挿通され、該台車３の他側の両側部から水平方向に張り出したアーム１０の先端部に垂直方向に支持棒を螺合してなるアウトリガー８を設けると共に、該アーム１０の途中に形成した垂直方向の貫通孔１７に打込棒１８を挿通し、夫々の打込棒１８を地中に打設することによって前記台車３の転倒を防止するようにした。【選択図】図４
2005161908.tif 000002
【特許請求の範囲】
【請求項１】
投光機を搭載した台車の片側の両側部に固設された支持部材に打込棒が垂直方向に挿通され、該台車の他側の両側部から水平方向に張り出したアームの先端部に垂直方向に支持棒を螺合してなるアウトリガーを設けると共に、該アームの途中に形成した垂直方向の貫通孔に打込棒を挿通し、夫々の打込棒を地中に打設することによって前記台車の転倒を防止するようにしたことを特徴とする投光機の転倒防止機構。
【請求項２】
前記台車に設けられた前記アームは開度を調節することができるように枢設され、これによって前記打込棒の打設位置を調節すると共に収納可能としたことを特徴とする請求項１記載の投光機の転倒防止機構。
【発明の詳細な説明】
【技術分野】
【０００１】
本発明は、投光機を搭載した台車にアウトリガーを設けてなる投光機の転倒防止機構に関するものである。
【背景技術】
【０００２】
従来から、工事現場等において夜間作業等の暗闇中で使用される投光機は、移動可能な台車に搭載され、現場に搬送された後は、台車に設けられたアウトリガーを使用して台車の転倒防止及び安定化を図ることが行なわれている。
【０００３】
このような投光機の台車に設けられたアウトリガーの例としては、特許文献１に記載されたものがある。このアウトリガーは、図７又は図８に示すように、台車５０のフレーム５２に設けられた支持部材５１と、支持部材５１に垂直方向に挿入されて先端部５４が接地可能なアーム部材５３とを有し、アーム部材５３は支持部材５１に挿入されて軸方向に移動可能且つ周方向に回転可能なアーム基部５５と湾曲形状を有して一体的に延びるアーム本体５６とを有し、アーム基部５５の軸方向の移動によりアーム本体５２の先端部５４が接地したときアーム基部５５が回転不能に係合し、アーム本体５６の先端部５４が非接地状態である時にアーム基部５５が回転可能になる構造としたものである。
【特許文献１】特開２００２−１２７９１０号公報（第１、２頁、図１、図４）
【発明の開示】
【発明が解決しようとする課題】
【０００４】
ところで、上記のようなアウトリガーは他に種々の構造を有するが、いずれの構造であっても、台車の左右に張り出したアームの先端部を地面に接地することによって台車が転倒しないようにしたものであり、アウトリガーの機能を果たすためには、アウトリガーの先端部を支持する地面が堅固であることが要求される。
【０００５】
従って、上記の特許文献１の構造を有するアウトリガーにおいても、堅固でない地盤、例えば砂地や泥地のような軟質地盤に台車を設置した状況においては、投光機のように背の高い機器を台車に搭載している場合、強風や地震等が生じると、投光機が台車ごと転倒するおそれがあり、アウトリガーの機能を果たすことができないという欠点があった。
【０００６】
本発明は、このような事情に鑑みてなされたもので、投光機を搭載した台車にアウトリガーを設けてなる投光機の転倒防止機構であって、砂地や泥地のような軟質地盤に投光機の台車を設置する場合、強風や地震等の状況下であっても投光機が転倒しないようにした投光機の転倒防止機構を提供することを目的とする。
【課題を解決するための手段】
【０００７】
上記目的を達成するために、本発明における請求項１の投光機の転倒防止機構は、投光機を搭載した台車の片側の両側部に固設された支持部材に打込棒が垂直方向に挿通され、該台車の他側の両側部から水平方向に張り出したアームの先端部に垂直方向に支持棒を螺合してなるアウトリガーを設けると共に、該アームの途中に形成した垂直方向の貫通孔に打込棒を挿通し、夫々の打込棒を地中に打設することによって前記台車の転倒を防止するようにしたことを特徴とする。
【０００８】
また、本発明における請求項２の投光機の転倒防止機構は、請求項１において、前記台車に設けられた前記アームは開度を調節することができるように枢設され、これによって前記打込棒の打設位置を調節すると共に収納可能としたことを特徴とする。
【発明の効果】
【０００９】
上記の構成を有する投光機の転倒防止機構は、台車の他側の両側部から水平方向に張り出したアームの先端部に垂直方向に支持棒を螺合してなるアウトリガーの他に、台車の片側の両側部に固設された支持部材に挿通された打込棒と、該アウトリガーのアームの途中に形成した垂直方向の貫通孔に挿通した打込棒を用いて、これらの打込棒を地中に打設することによって台車の転倒を堅固に防止することができる。
【００１０】
従って、本発明によれば、上記のような非常に簡単な構造の転倒防止機構によって、砂地や泥地のような軟質地盤に投光機の台車を設置する場合に、強風や地震等の状況下であっても投光機は転倒せずに、安定した設置状況を確保することが可能となる。
【００１１】
なお、堅固な地盤に投光機の台車を設置する場合、本発明の構造によれば、打込棒を打設しないという使用法も可能であり、地盤に応じて使い分けることが可能である。
【００１２】
また、本発明において、アームの開度を調節することができる構造とすることにより、地盤や周囲の状況に応じて打込棒の打設位置を調整することができるほか、アームを台車の側部に収納することによって、運搬時等の邪魔にならないように利便性を図ることができる。
【発明を実施するための最良の形態】
【００１３】
以下、本発明の実施例について図面を参照しながら説明する。
【実施例１】
【００１４】
本発明の投光機の転倒防止機構１は、図３、図４、図５に示すような投光機２を搭載した台車３に設けられるもので、台車３の四方に設けられた車輪４、４…によって台車３を移動可能としている。この台車３に搭載された投光機２は、例えば３段式に伸縮するポール５の上端に設けられた照明灯６を支持してあり、ポール５は、図４に示すハンドル７によって、図４又は図５に示す状況よりもはるかに高い位置まで伸長することができる。このため、強風や地震時においても投光機２が転倒しないように台車３にはアウトリガー８が設けられている。
【００１５】
このアウトリガー８は、図１に示すように、台車３のフレーム９の後端両側に張り出した上下の支持プレート９ａ、９ｂ間にアーム１０の端部を枢軸１１で枢設してなり、これによって夫々のアーム１０を水平状態を保って左右に回動することができる。夫々のアーム１０の先端には垂直方向に螺子穴１２が設けられると共に該螺子穴１２に支持棒１３が螺合されている。
【００１６】
支持棒１３は略全長に渡って外周に螺子が設けられ、その上端には横穴１４に挿通されたハンドル棒１５が設けられている。また支持棒１３の下端には接地盤１６が固設されている。この支持棒１３のハンドル棒１５を握って回動することにより、支持棒１３は螺子穴１２の内周の螺子に案内されて上下方向に回動する。これによって接地盤１６の高さを調節することができ、図４に示すように、各支持棒１３の接地盤１６を地盤Ｇに接地するまで回動することによって台車３を安定した状態に支持しておくことができる。
【００１７】
このような構成において、本実施例においては、図１に示すように、上記の夫々のアーム１０の途中に垂直方向を向く貫通孔１７が形成され、該貫通孔１７に鋼管によって形成された打込棒１８が摺動自在に挿通されている。夫々の打込棒１８は、機械打ち又はハンマー打ちのいずれでも打設可能であり、その打ち込み作業は打込棒１８の頭部１８ａを殴打することによって行うため、打込棒１８の頭部１８ａには円盤状のプレートを溶接して剛性を強化してあり、また先端部１８ｂは円錐形のハガネを溶接してある。このような打込棒１８の頭部１８ａを打ち込むことによって、打込棒１８はアーム１０の貫通孔１７を下方に摺動してその先端部１８ｂを地盤Ｇ中に打ち込むことができる（図４、図５参照）。
【００１８】
また、上記の構成において、アーム１０の開度を調節することができるため、アウトリガー８の支持棒１３による支持位置と打込棒１８の打込位置を調節することが可能であり、アウトリガー８による支持と併せて、打込棒１８による地盤Ｇ中への堅固な固定が可能となる。また、このような構造により、地盤や周囲の状況に応じて打込棒１８の打設位置を調整することができるほか、図３の一点鎖線の矢視線で示すように、アーム１０を台車３の側部に収納することによって、運搬時等の邪魔にならないように利便性を図ることができる。
【００１９】
さらに、本実施例においては、図２に示すように、台車３の前側の両側部に支持部材２０がボルト２１で固設され、該支持部材２０に形成された垂直方向を向く貫通孔２２に打込棒１８が摺動自在に挿通してあり、打込棒１８の頭部１８ａを打設することによって打込棒１８の先端部１８ｂを地盤Ｇ中に打ち込むことができる。
【００２０】
従って、本実施例による投光機の転倒防止機構１においては、台車３の前方両端の定位置に２本の打込棒１８、１８と、台車３の後方両側のアーム１０に設けられた開度調節可能な２本の打込棒１８、１８による全部で４本の打込棒１８、１８…を地盤Ｇ中に打設することによって、単なるアウトリガーによる支持では不可能であった砂地や泥地のような軟質地盤に対する堅実な安定支持が可能となる。
【００２１】
また、上記の投光機の転倒防止機構１によれば、台車３の四方が打込棒１８、１８…を介して地盤Ｇに固定されたことになるため、台車３を砂地や泥地のような軟質地盤に設置しても転倒しない堅固な安定性を有する他、強風による横方向からの風圧や地震時における振動が生じても転倒しない投光機２を得ることができる。
【００２２】
さらに、台車３の上方に設ける照明灯が、図６に示すバルーン式照明灯２３である場合、このバルーン式照明灯２３が膨張した形状２３ａ（２点鎖線で示す）にされたときは、特に風圧に対して倒れやすい構造となるが、台車３の四方が打込棒１８、１８…を介して地盤Ｇに固定されているため、やはり転倒しない堅固な安定性を保つことができる。
【産業上の利用可能性】
【００２３】
以上説明したように、本発明の投光機の転倒防止機構は、砂地や泥地のような軟質地盤に投光機の台車を設置する場合に、強風や地震等の状況下においても投光機が転倒しない構造として有効である他、通常の地盤において、打込棒を使わないことも可能であり、地盤に応じて使い分けることができる投光機の転倒防止機構として有用である。
【図面の簡単な説明】
【００２４】
【図１】本発明の投光機の転倒防止機構において、投光機を搭載した台車の後部においてアームの開度を調節可能にした構造を示す斜視図である。
【図２】本発明の投光機を搭載した台車の前部における転倒防止機構を示す斜視図である。
【図３】本発明における投光機の転倒防止機構を有する台車の上面図である。
【図４】本発明における投光機の転倒防止機構を有する台車の側面図である。
【図５】本発明における投光機の転倒防止機構を示す正面図である。
【図６】本発明における投光機の転倒防止機構をバルーン式照明灯に適用した例を示す正面図である。
【図７】従来の台車用アウトリガー装置の側面図である。
【図８】従来の台車用アウトリガー装置の部分拡大図である。
【符号の説明】
【００２５】
１…転倒防止機構
２…投光機
３…台車
４…車輪
５…ポール
６…照明灯
７…ハンドル
８…アウトリガー
９…フレーム
９ａ、９ｂ…支持プレート
１０…アーム
１１…枢軸
１２…螺子穴
１３…支持棒
１４…横穴
１５…ハンドル棒
１６…接地盤
１７…貫通孔
１８…打込棒
１８ａ…打込棒の頭部
１８ｂ…打込棒の先端部
２０…支持部材
２１…ボルト
２２…貫通孔
２３…バルーン式照明
２３ａ…膨張した形状
Ｇ…地盤
【図１】
2005161908.tif 000003
【図２】
2005161908.tif 000004
【図３】
2005161908.tif 000005
【図４】
2005161908.tif 000006
【図５】
2005161908.tif 000007
【図６】
2005161908.tif 000008
【図７】
2005161908.tif 000009
【図８】
2005161908.tif 000010